(57)【要約】【課題】進路推定装置において、進路形状の推定精度を向上させること。【解決手段】運転支援ＥＣＵが実行する運転支援処理では、周辺検知部で検知した状況推定情報、または自車状態検知部で検知した自車の挙動を、運転支援処理が起動されるごとに取得する。そして、運転支援処理では、その取得した状況推定情報または自車の挙動を取得するごとに、その取得した状況推定情報または自車の挙動に基づいて走行予定路における曲率半径Ｒを推定し、その推定した時刻と共にＲＡＭ４２に格納する（Ｓ１３０）。さらに、運転支援処理では、走行予定路の曲率半径の時間軸に沿った変化の大きさを表す変化情報を導出し（Ｓ１４０）、その導出した変化情報が閾値Ｔｈ以上であれば（Ｓ１５０：ＹＥＳ）、走行予定路上に道路形状が切り替わる切替地点が存在するものと判定する（Ｓ１７０〜Ｓ２１０）。【選択図】図２
2015125486.tif 000002
【特許請求の範囲】
【請求項１】
自動車に搭載される進路推定装置（４０）であって、
予め規定された情報を繰り返し取得し、その取得した情報に基づいて、当該自動車が走行を予定している走行予定路の曲率半径を繰り返し推定する半径推定手段（４０，Ｓ１１０〜Ｓ１３０）と、
前記半径推定手段で推定された走行予定路の曲率半径に基づいて、前記走行予定路の曲率半径の時間軸に沿った変化の大きさを表す変化情報を導出する変化導出手段（４０，Ｓ１４０）と、
前記変化導出手段で導出した変化情報が、予め規定された規定値以上であれば、前記走行予定路上に道路形状が切り替わる切替地点が存在するものと判定する判定手段（４０，Ｓ１５０〜Ｓ２１０）と
を備えることを特徴とする進路推定装置。
【請求項２】
前記判定手段は、
前記変化情報において、前記走行予定路の旋回方向が時間軸に沿って反転していれば、前記走行予定路の道路形状がＳ字カーブであるものと推定する第一推定手段（４０，Ｓ１７０，Ｓ１８０）
を備えることを特徴とする請求項１に記載の進路推定装置。
【請求項３】
前記判定手段は、
前記変化情報における前記曲率半径の値が時間軸に沿って増加していれば、前記走行予定路に沿って曲率半径が小さくなる道路形状であるものと推定する第二推定手段（４０，Ｓ１９０，Ｓ２１０）
を備えることを特徴とする請求項１または請求項２に記載の進路推定装置。
【請求項４】
前記判定手段は、
前記変化情報における前記曲率半径の値が時間軸に沿って減少していれば、前記走行予定路に沿って曲率半径が大きくなる道路形状であるものと推定する第三推定手段（Ｓ４０，Ｓ１９０，Ｓ２００）
を備えることを特徴とする請求項１から請求項３までのいずれか一項に記載の進路推定装置。
【請求項５】
自動車に搭載されるコンピュータが実行するプログラムあって、
予め規定された情報を繰り返し取得し、その取得した情報に基づいて、当該自動車が走行を予定している走行予定路の曲率半径を繰り返し推定する半径推定手順（４０，Ｓ１１０〜Ｓ１３０）と、
前記半径推定手順で推定された走行予定路の曲率半径に基づいて、前記走行予定路の曲率半径の時間軸に沿った変化の大きさを表す変化情報を導出する変化導出手順（４０，Ｓ１４０）と、
前記変化導出手順で導出した変化情報が、予め規定された規定値以上であれば、前記走行予定路上に道路形状が切り替わる切替地点が存在するものと判定する判定手順（４０，Ｓ１５０〜Ｓ２１０）とを、
前記コンピュータに実行させることを特徴とするプログラム。
【発明の詳細な説明】
【技術分野】
【０００１】
本発明は、自動車に搭載される進路推定装置，及びプログラムに関する。
【背景技術】
【０００２】
従来、自動車に搭載される装置であって、自車両が走行を予定している進路の道路形状（以下、「進路形状」と称す）の推定を実施する装置が知られている（特許文献１参照）。
【０００３】
そして、特許文献１に記載された装置では、ヨーレートセンサの検知結果（即ち、ヨーレート）や操舵角センサの検知結果（即ち、操舵角）に基づいて、自車両の旋回方向（及び旋回半径）を特定している。さらに、その特定した旋回方向及び旋回半径が自車の進行路上にて継続するものとして、その特定した自車両の旋回方向及び旋回半径を進路形状として推定している。
【先行技術文献】
【特許文献】
【０００４】
【特許文献１】特開２００９−９２０９号公報
【発明の概要】
【発明が解決しようとする課題】
【０００５】
しかしながら、特許文献１に記載された装置では、推定時点における自車両の旋回方向及び旋回半径が継続するものとして進路形状を推定しているため、実際の進行路において曲率が変化する場合、曲率が変化することを検出できない。このため、特許文献１に記載された装置では、当該装置にて推定した進路形状と、実際の進行路の進路形状とにズレが生じるという課題があった。
【０００６】
つまり、特許文献１に記載された装置における進路形状の推定方法では、進路形状の推定精度が悪いという課題がある。
そこで、本発明は、進路推定装置において、進路形状の推定精度を向上させることを目的とする。
【課題を解決するための手段】
【０００７】
上記目的を達成するためになされた本発明は、自動車に搭載される進路推定装置（４０）に関する。
本発明の進路推定装置は、半径推定手段（４０，Ｓ１１０〜Ｓ１３０）と、変化導出手段（４０，Ｓ１４０）と、判定手段（４０，Ｓ１５０〜Ｓ２１０）とを備えている。
【０００８】
このうち、半径推定手段は、予め規定された情報を繰り返し取得し、その取得した情報に基づいて、当該自動車が走行を予定している走行予定路の曲率半径を繰り返し推定する。また、変化導出手段は、半径推定手段で推定された走行予定路の曲率半径に基づいて、変化情報を導出する。
【０００９】
なお、ここで言う変化情報は、走行予定路の曲率半径の時間軸に沿った変化の大きさを表す指標であり、例えば、変化の割合や変化量を含むものである。
さらに、判定手段は、変化導出手段で導出した変化情報が、予め規定された規定値以上であれば、走行予定路上に道路形状が切り替わる切替地点が存在するものと判定する。
【００１０】
このような進路推定装置によれば、切替地点の有無を判定できる。
したがって、本発明の進路推定装置によれば、従来技術と異なり、当該装置にて判定した走行予定路の道路形状が、実際の走行予定路の道路形状との間にズレを有することを低減できる。
【００１１】
つまり、本発明の進路推定装置によれば、走行予定路の道路形状の推定精度を向上させることができる。
ところで、本発明の進路推定装置においては、走行予定路の道路形状を推定する進路形状予測手段を備えていても良い。この場合、進路形状予測手段は、自車の挙動を計測する各種センサにて繰り返し取得した検知結果を、その挙動が今後も継続するものとして走行予定路の道路形状を推定するためのフィルタに通すことで、走行予定路の道路形状を推定しても良い。このような進路形状予測手段を備えた進路推定装置においては、切替地点が存在していれば、当該フィルタの時定数を軽くしても良い。
【００１２】
これにより、進路推定装置おける走行予定路の道路形状の推定結果を、自車の挙動に追従した応答性の高いものとすることができる。
さらに、自動車に搭載される運転支援制御装置においては、規定条件を規定時間満たす先行車両を追従対象として決定しても良い。この場合、運転支援制御装置は、本発明における判定の結果、切替地点が存在していれば、先行車両を追従対象から除外するまでの時間、即ち、規定時間を延長しても良い。
【００１３】
なお、ここで言う追従対象とは、例えば、アダプティブクルーズコントロールにて、自車両が車間距離を一定に保持する対象となる先行車両である。そして、ここで言う規定条件とは、例えば、自車両が走行している走行路上に存在し、かつ、自車両から最短距離に存在することである。
【００１４】
つまり、走行予定路において切替地点が存在する場合、従来の技術では、その切替地点が存在することを認識できなかったため、自車両の走行路上に存在し、本来追従対象とすべき先行車両を、自車両の走行路上に存在しないものと誤認識してしまう可能性があった。
【００１５】
しかしながら、本発明の進路推定装置によれば、道路形状の切替地点が存在することを認識できるため、この結果を用いて追従対象を決定することで、本来追従対象とすべき先行車両が追従対象から除外されることを低減できる。
【００１６】
なお、ここで言う「曲率半径」は、道路の円弧曲線における半径を表す指標であり、本発明においては、曲率半径そのものに限らず、曲率半径に基づく指標、例えば、曲率であっても良い。
【００１７】
「特許請求の範囲」及び「課題を解決するための手段」の欄に記載した括弧内の符号は、一つの態様として後述する実施形態に記載の具体的手段との対応関係を示すものであって、本発明の技術的範囲を限定するものではない。
【００１８】
また、本発明は、前述した計測装置の他、計測対象物の形状を計測するためにコンピュータが実行するプログラム、計測方法等、種々の形態で実現することができる。
【図面の簡単な説明】
【００１９】
【図１】本発明が適用された進路推定装置としての運転支援ＥＣＵを備えた運転支援システムの概略構成を示すブロック図である。
【図２】運転支援ＥＣＵが実行する運転支援処理の処理手順を示すフローチャートである。
【図３】運転支援処理における切替判定の具体例を説明する説明図である。
【図４】図３に示す具体例における曲率半径の推移を示す説明図である。
【図５】運転支援処理における切替判定の具体例を説明する説明図である。
【図６】図５に示す具体例における曲率半径の推移を示す説明図である。
【図７】実施形態における運転支援処理の効果を説明するグラフである。
【発明を実施するための形態】
【００２０】
以下に本発明の実施形態を図面と共に説明する。
＜運転支援システム＞
運転支援システム１は、自動車に搭載されるシステムである。この運転支援システム１は、自車が走行を予定している進路（以下、「走行予定路」と称す）の道路形状を認識し、自車の前方を走行する車両（先行車）との車間距離を適切に保持するように車速または加速度を制御する。
【００２１】
これを実現するために、運転支援システム１は、図１に示すように、周辺検知部３と、自車状態検知部１０と、車両制御部２０と、運転支援制御装置（以下、「運転支援ＥＣＵ」と称す）４０とを備えている。
【００２２】
周辺検知部３は、走行予定路の状況を検出するために必要な情報（以下、「状況推定情報」と称す）を取得する。この周辺検知部３は、レーダセンサ５と、撮像装置７とを備えている。
【００２３】
レーダセンサ５は、探査波を送受信した結果に基づいて、探査波を反射した物標の位置を状況推定情報として検出する。本実施形態におけるレーダセンサ５は、レーザ光を探査波として、車両前方へ所定角度の範囲でスキャンして出力すると共に、その反射光を検出するレーザーレーダである。そして、レーダセンサ５は、レーザ光を反射した物体との間をレーザ光が往復するのに要した時間から物体までの距離、及びレーザ光を反射した物体が存在する方位を表す距離・角度計測データを、物標の位置として求める。
【００２４】
なお、レーダセンサ５は、レーザ光を探査波として利用するものに限らず、ミリ波帯の電波を探査波として利用するもの（いわゆるミリ波レーダ）や、超音波を探査波として利用するもの（いわゆるソナー）でも良い。
【００２５】
また、撮像装置７は、自車の進行方向上の所定角度範囲を撮像するように車両に設置された周知のカメラである。この撮像装置７は、撮像装置７自身が撮像した画像を状況推定情報として取得する。
【００２６】
自車状態検知部１０は、自車の挙動を表す各種情報を取得する。この自車状態検知部１０は、ヨーレートセンサ１２、車輪速センサ１４、舵角センサ１６を含む。
ヨーレートセンサ１２は、自車の旋回角速度（ヨーレート）γに応じた信号を出力する。
【００２７】
車輪速センサ１４は、左前輪、右前輪、左後輪、及び右後輪のそれぞれに取り付けられ、各車輪軸の回転に応じて所定角度ごとにエッジが生じるパルス信号、即ち、車輪軸の回転速度に応じたパルス間隔を有するパルス信号を出力する。
【００２８】
舵角センサ１６は、ハンドルの相対的な操舵角（操舵角の変化量）、あるいはハンドルの絶対的な操舵角（直進時の操舵位置を基準とした実際の操舵角）に応じた信号を出力する。
【００２９】
車両制御部２０は、車両に搭載された各種車載装置を制御する電子制御制御装置（いわゆるＥＣＵ）である。この車両制御部２０には、エンジンＥＣＵ２２、ブレーキＥＣＵ２４、メータＥＣＵ２６を少なくとも含む。
【００３０】
エンジンＥＣＵ２２は、エンジンの始動／停止、燃料噴射量、点火時期等を制御する電子制御装置であって、ＣＰＵ、ＲＯＭ、ＲＡＭ等を備える。具体的には、エンジンＥＣＵ２２は、吸気管に設けられたスロットルを開閉するアクチュエータを、アクセルペダルの踏込量を検出するセンサの検出値に応じて制御する。また、エンジンＥＣＵ２２は、運転支援ＥＣＵ４０からの指示に従い、内燃機関の駆動力を増加減させるようにスロットルアクチュエータを制御する。
【００３１】
ブレーキＥＣＵ２４は、自車の制動を制御する電子制御装置であって、ＣＰＵ，ＲＯＭ，ＲＡＭ等を備える。具体的には、ブレーキＥＣＵ２４は、ブレーキ液圧回路に設けられた増圧制御弁および減圧制御弁を開閉するアクチュエータを、ブレーキペダルの踏込量を検出するセンサの検出値に応じて制御する。また、ブレーキＥＣＵ２４は、運転支援ＥＣＵ４０からの指示に従い、自車の制動力を増減させるようにブレーキアクチュエータを制御する。
【００３２】
メータＥＣＵ２６は、運転支援ＥＣＵ４０を含む車両各部からの指示に従って、車両に設けられたメータディスプレイの表示制御を行う電子制御装置であって、ＣＰＵ，ＲＯＭ，ＲＡＭなどを備える。具体的には、メータＥＣＵ２６は、メータディスプレイに、車速やエンジンの回転数、車間制御コントローラが実行する制御の実行状態や制御モードを表示する。
【００３３】
＜運転支援ＥＣＵ＞
運転支援ＥＣＵ４０は、運転支援制御を実行する電子制御装置である。この運転支援ＥＣＵ４０は、ＲＯＭ４１と、ＲＡＭ４２と、ＣＰＵ４３とを少なくとも有した周知のコンピュータを中心に構成されている。
【００３４】
このうち、ＲＯＭ４１は、電源が切断されても記憶内容を保持する必要がある処理プログラムやデータを格納する。ＲＡＭ４２は、処理プログラムやデータを一時的に格納する。ＣＰＵ４３は、ＲＯＭ４１やＲＡＭ４２に記憶された処理プログラムに従って各種処理を実行する。
【００３５】
さらに、運転支援ＥＣＵ４０は、周辺検知部３や自車状態検知部１０からの信号を検出してデジタル値に変換する検出回路，Ａ／Ｄ変換回路からの入力を受け付ける入出力インターフェース（Ｉ／Ｏ）、車両制御部２０との通信を行う通信回路を備えている。これらのハードウェア構成は、電子制御装置において一般的なものであるので詳細な説明は省略する。
【００３６】
なお、ＲＯＭ４１には、周辺検知部３や自車状態検知部１０からの信号に従って、走行予定路における道路形状を認識し、自車の運転を支援する運転支援制御を実行する運転支援処理を、運転支援ＥＣＵ４０が実行するための処理プログラムが格納されている。ここで言う運転支援制御には、例えば、アダプティブクルーズコントロール（ＡＣＣ）を含む。
【００３７】
なお、「ＡＣＣ」は、周辺検知部３や自車状態検知部１０からの信号に従って追従対象を特定し、その特定した追従対象との車間距離を設定された距離に保持するように、エンジンＥＣＵ２２やブレーキＥＣＵ２４に制御指令を出力する周知の制御である。さらに、「ＡＣＣ」では、メータＥＣＵ２６に対して、ＡＣＣに関する各種表示情報や、所定の条件に適合した場合に警報を発生させるための指令を出力しても良い。
【００３８】
＜運転支援処理＞
次に、運転支援ＥＣＵ４０が実行する運転支援処理について説明する。
この運転支援処理は、予め規定された時間間隔（例えば１００ｍｓ）ごとに起動される。
【００３９】
そして、運転支援処理が起動されると、図２に示すように、まず、周辺検知部３で検知した状況推定情報を読み込む（Ｓ１１０）。本実施形態のＳ１１０では、状況推定情報として、レーダセンサ５で検出した距離・角度計測データを読み込む。
【００４０】
続いて、Ｓ１１０で読み込んだ距離・角度計測データを、これらのデータによって表現される極座標系から直交座標系に変換し、その変換後のデータに基づき、自車の前方に存在する物標を認識する物標認識処理を実行する（Ｓ１２０）。この物標認識処理では、距離・角度計測データをクラスタリングし、クラスタごとに物標の中心位置座標、物標の大きさ、自車に対する相対速度などを求める。さらに、物標認識処理では、物標の大きさや相対速度に基づいて、認識した物標それぞれの種類（例えば、路側物（ガードレール）であるか先行車両であるかなど）を判別する。
【００４１】
さらに、周辺検知部３で検知した状況推定情報、または自車状態検知部１０で検知した自車の挙動に基づいて、走行予定路における曲率半径Ｒを推定し、その推定した時刻と共にＲＡＭ４２に格納する（Ｓ１３０）。
【００４２】
具体的に、本実施形態のＳ１３０では、周知の手法により、Ｓ１２０にて認識した路側物（例えば、ガードレール）の配置状況から、第一走行予定路の平面線形を推定し、曲率半径Ｒを推定する。なお、ここで言う曲率半径Ｒは、曲率半径の値に加えて、旋回方向を含むものであり、本実施形態では、左旋回を正の値とし、右旋回を負の値としている。
【００４３】
なお、曲率半径Ｒを推定する手法は、上記の手法に限るものではなく、撮像装置７で撮像した画像に基づく手法や、自車状態検知部１０の検知結果に基づく手法であっても良い。
【００４４】
例えば、前者の手法であれば、撮像装置７で撮像した画像に基づく周知の手法により、区画線（例えば、白線）を認識し、その認識した区画線に従って第一走行予定路の平面線形を推定し、曲率半径Ｒを推定する手法を用いれば良い。また、後者の手法であれば、ヨーレートセンサ１２にて検出されたヨーレートγと、車輪速センサ１４での検出結果に基づいて算出された自車速Ｖに基づき、自車速Ｖをヨーレートで除すことで、曲率半径Ｒを求めれば良い。
【００４５】
さら言えば、曲率半径Ｒを推定する手法は、上記の手法に限るものではなく、上記の手法を組み合わせた手法でも良い。この場合、各手法で推定した曲率半径の相加平均や加重平均を曲率半径Ｒとしても良い。
【００４６】
続いて、運転支援処理が起動されるごとに、Ｓ１３０で推定された曲率半径Ｒに基づいて、変化指標を導出する（Ｓ１４０）。ここで言う変化指標は、走行予定路の曲率半径の時間軸に沿った変化の大きさを表すものであり、本発明における変化情報の一例である。
【００４７】
このＳ１４０では、具体的には、運転支援処理が前回起動された際にＳ１３０で推定された曲率半径Ｒと、運転支援処理が今回起動された際にＳ１３０で推定された曲率半径Ｒとの時間軸に沿った差分（すなわち、変化量）を算出する。そして、Ｓ１４０では、規定回数（例えば、１０回）分の変化量を相加平均した平均値を変化指標として導出する。
【００４８】
また、Ｓ１４０では、曲率半径Ｒの時間軸に沿った変化量を、起動時間間隔で除すことで導出した変化割合を変化指標として導出しても良い。
そして、Ｓ１４０にて導出された変化指標の絶対値が、予め規定された閾値Ｔｈ以上であるか否かを判定する（Ｓ１５０）。ここで言う閾値Ｔｈは、走行予定路において、曲率が切り替わっているものと判定可能な変化指標の下限値であり、特許請求の範囲の記載における規定値の一例である。
【００４９】
そして、Ｓ１５０での判定の結果、変化指標の絶対値が閾値Ｔｈ未満であれば（Ｓ１５０：ＮＯ）、走行予定路において道路形状が切り替わる切替地点が存在しないものと判定し、Ｓ１６０へと移行する。そのＳ１６０では、走行予定路の道路形状が、切替地点が存在しない道路形状（例えば、「直線路」）であるものと設定し、詳しくは後述するＳ２２０へと移行する。
【００５０】
一方、Ｓ１５０での判定の結果、変化指標の絶対値が閾値Ｔｈ以上であれば（Ｓ１５０：ＹＥＳ）、Ｓ１７０へと移行する。
そのＳ１７０では、走行予定路における旋回方向の時間推移を推定し、その旋回方向の時間推移が、旋回方向が反転していることを表しているか否かを判定する。具体的には、本実施形態のＳ１７０では、時間軸に沿った曲率半径Ｒの符号が、その時間軸に沿って反対となるのであれば、旋回方向が反転していることを表しているものと判定する。
【００５１】
このＳ１７０での判定の結果、走行予定路における旋回方向が反転していることを表していれば（Ｓ１７０：ＹＥＳ）、走行予定路の道路形状が第一態様であるものと設定する（Ｓ１８０）。ここで言う第一態様とは、走行予定路上に切替地点が存在する道路形状の態様であり、例えば、「左旋回の曲路」から「右旋回の曲路」となる「Ｓ字カーブ」である。
【００５２】
その後、Ｓ２２０へと進む。
一方、Ｓ１７０での判定の結果、走行予定路における旋回方向が反転していることを表していなければ（Ｓ１７０：ＮＯ）、Ｓ１９０へと進む。
【００５３】
そのＳ１９０では、変化指標に基づいて、曲率半径Ｒの絶対値が時間軸に沿って設定値以上増加したか否かを判定する。このＳ１９０での判定の結果、曲率半径Ｒの絶対値が時間軸に沿って設定値以上増加していれば（Ｓ１９０：ＹＥＳ）、即ち、変化指標の絶対値が設定値以上増加していれば、走行予定路の道路形状が第二態様であるものと設定する（Ｓ２００）。
【００５４】
ここで言う第二態様とは、走行予定路上に切替地点が存在する道路形状の態様であり、走行予定路に沿って曲率半径が小さくなる道路形状である。この第二態様には、例えば、「曲路」から「直線路」へと切り替わるような道路形状や、「急カーブ」から「緩カーブ」へと切り替わるような道路形状が含まれる。
【００５５】
その後、Ｓ２２０へと移行する。
なお、Ｓ１９０での判定の結果、曲率半径Ｒの絶対値が時間軸に沿って設定値以上増加していなければ（Ｓ１９０：ＮＯ）、走行予定路の道路形状が第三態様であるものと設定する（Ｓ２１０）。すなわち、例えば、曲率半径Ｒの絶対値が時間軸に沿って減少、即ち、変化指標の絶対値が減少している場合には、Ｓ２１０にて、走行予定路の道路形状が第三態様であるものと設定する。
【００５６】
ここで言う第三態様とは、走行予定路上に切替地点が存在する道路形状の態様であり、走行予定路に沿って曲率半径が大きくなる道路形状である。この第三態様には、例えば、「直線路」から「曲路」へと切り替わるような道路形状や、「緩カーブ」から「急カーブ」へと切り替わるような道路形状が含まれる。
【００５７】
その後、Ｓ２２０へと移行する。
そのＳ２２０では、規定条件を規定時間継続して満たす先行車を、追従対象（以下、「追従対象車」と称す）として選択する。
【００５８】
この規定条件については、周知であるため、ここでの詳しい説明は省略するが、規定条件の一例として、走行予定路上に存在する先行車の中で、自車からの距離が最短であることが考えられる。
【００５９】
規定条件をこのようにする場合、走行予定路を推定する手法として、自車状態検知部１０で検知した自車の挙動が今後も継続するものとして、その自車の挙動をフィルタに通すことで、走行予定路の道路形状を推定しても良い。このような走行予定路の推定手法を用いる場合、本実施形態においては、Ｓ２１０までの判定の結果、切替地点が存在していれば、当該フィルタの時定数を軽くしても良い。
【００６０】
また、本実施形態においては、Ｓ２１０までの判定の結果、切替地点が存在していれば、追従対象車を選択する際に先行車両を追従対象から除外するまでの時間、即ち、規定時間を延長しても良い。
【００６１】
続いて、Ｓ２２０にて選択した追従対象との車間距離を、設定された距離に保持するように、エンジンＥＣＵ２２やブレーキＥＣＵ２４に制御指令を出力する（Ｓ２２０）。その制御指令を受け付けたエンジンＥＣＵ２２やブレーキＥＣＵ２４は、スロットルアクチュエータやブレーキアクチュエータを制御する。
【００６２】
さらに、Ｓ２２０では、メータＥＣＵ２６に対して、ＡＣＣに関する各種表示情報や、所定の条件に適合した場合に警報を発生させるための指令を出力する。その指令を受け付けたメータＥＣＵ２６は、各種表示情報や警報を、表示パネルなどに発生させる。
【００６３】
その後、本運転支援処理を終了し、次の起動タイミングまで待機する。
つまり、本実施形態の運転支援処理では、周辺検知部３で検知した状況推定情報、または自車状態検知部１０で検知した自車の挙動を、運転支援処理が起動されるごとに取得する。そして、運転支援処理では、その取得した状況推定情報または自車の挙動を取得するごとに、その取得した状況推定情報または自車の挙動に基づいて走行予定路における曲率半径Ｒを推定し、その推定した時刻と共にＲＡＭ４２に格納する。
【００６４】
さらに、運転支援処理では、走行予定路の曲率半径の時間軸に沿った変化の大きさを表す変化情報を導出し、その導出した変化情報の絶対値が設定値以上であれば、走行予定路上に道路形状が切り替わる切替地点が存在するものと判定する。
【００６５】
ここで、図３は、第一態様（「Ｓ字カーブ」）の走行予定路を自車が走行する場合に、運転支援処理において認識した曲率半径Ｒの推移を示す図である。図３（Ａ）は、時刻ｔ１に、運転支援ＥＣＵ４０が導出した曲率半径Ｒを示す図であり、図３（Ｂ）は、時間軸に沿って時刻ｔ１よりも後の時刻ｔ２に、運転支援ＥＣＵ４０が導出した曲率半径Ｒを示す図である。そして、図３（Ｃ）は、時間軸に沿って時刻ｔ２よりも後の時刻ｔ３に、運転支援ＥＣＵ４０が導出した曲率半径Ｒを示す図である。
【００６６】
このような第一態様の走行予定路を自車が走行する場合、運転支援処理で推定する曲率半径Ｒは、曲率半径Ｒの導出手法にかかわらず、図４に示すように、時刻ｔ１において正の値であり、時刻ｔ３において負の値となる。さらに、時刻ｔ１から時刻ｔ３に掛けて、曲率半径Ｒの符号は反転する。このため、本実施形態の運転支援処理によれば、走行予定路の道路形状が第一態様であるものと推定できる。
【００６７】
また、図５は、第二態様（例えば、「直線路」から右旋回の「曲路」へと切り替わるような道路形状）の走行予定路を自車が走行する場合に、運転支援処理において認識した曲率半径Ｒの推移を示す図である。図５（Ａ）は、時刻ｔ１に、運転支援ＥＣＵ４０が導出した曲率半径Ｒを示す図であり、図５（Ｂ）は、時間軸に沿って時刻ｔ１よりも後の時刻ｔ２に、運転支援ＥＣＵ４０が導出した曲率半径Ｒを示す図である。そして、図５（Ｃ）は、時間軸に沿って時刻ｔ２よりも後の時刻ｔ３に、運転支援ＥＣＵ４０が導出した曲率半径Ｒを示す図である。
【００６８】
このような第二態様の走行予定路を自車が走行する場合、運転支援処理で推定する曲率半径Ｒは、曲率半径Ｒの導出手法にかかわらず、図６に示すように、時間軸に沿って順次減少する。この場合、図７（Ａ），図７（Ｂ）に示すように、変化指標の絶対値は設定値Ｔｈ以上増加するため、本実施形態の運転支援処理によれば、走行予定路の道路形状が第二態様であることを推定できる。
【００６９】
すなわち、運転支援ＥＣＵ４０は、運転支援処理を実行することで、特許請求の範囲に記載された進路推定装置として機能する。
［実施形態の効果］
以上説明したように、運転支援ＥＣＵ４０によれば、第一走行予定路から第二走行予定路に掛けての道路に、切替地点が存在するか否かを判定できる。
【００７０】
したがって、運転支援ＥＣＵ４０によれば、従来技術と異なり、当該装置にて判定した走行予定路の道路形状が、実際の走行予定路の道路形状との間にズレを有することを低減できる。
【００７１】
つまり、運転支援ＥＣＵ４０によれば、走行予定路の道路形状の推定精度を向上させることができる。
さらに、本実施形態の運転支援処理では、走行予定路における旋回方向の時間推移が、旋回方向が反転していることを表していれば、走行予定路の道路形状が第一態様（即ち、「Ｓ字カーブ」）であるものと推定している。
【００７２】
この結果、運転支援処理によれば、走行予定路の道路形状が第一態様であることを推定できる。
また、本実施形態の運転支援処理では、曲率半径Ｒの絶対値が時間軸に沿って設定値以上増加していれば、走行予定路の道路形状が第二態様（即ち、「直線路」から「曲路」へと切り替わるような道路形状）であるものと推定している。
【００７３】
この結果、運転支援処理によれば、走行予定路の道路形状が第二態様であることを推定できる。
なお、本実施形態の運転支援処理では、曲率半径Ｒの絶対値が時間軸に沿って設定値以上増加していなければ、走行予定路の道路形状が第三態様（即ち、「曲路」から「直線路」へと切り替わるような道路形状）であるものと推定している。
【００７４】
この結果、運転支援処理によれば、走行予定路の道路形状が第三態様であることを推定できる。
ところで、本実施形態の運転支援処理におけるＳ２２０では、走行予定路の推定手法として、自車状態検知部１０で検知した自車の挙動が今後も継続するものとして、その自車の挙動をフィルタに通すことで、走行予定路の道路形状を推定しても良い。
【００７５】
この場合、運転支援処理におけるＳ２１０までの判定の結果、切替地点が存在していれば、当該フィルタの時定数を軽くしても良い。
これにより、運転支援ＥＣＵ４０おける走行予定路の道路形状の推定結果を、自車の挙動に追従した応答性の高いものとすることができる。
【００７６】
さらに、運転支援処理においては、規定条件を規定時間満たす先行車両を追従対象として決定している。この場合、運転支援処理のＳ２２０では、運転支援処理におけるＳ２１０までの判定の結果、切替地点が存在していれば、先行車両を追従対象から除外するまでの時間、即ち、規定時間を延長しても良い。
【００７７】
つまり、走行予定路において切替地点が存在する場合、従来の技術では、その切替地点が存在することを認識できなかったため、自車両の走行路上に存在し、本来追従対象とすべき先行車を、自車両の走行路上に存在しない車両として認識してしまう可能性があった。
【００７８】
しかしながら、運転支援ＥＣＵ４０によれば、道路形状の切替地点が存在することを認識できるため、この結果を用いて追従対象車を決定することで、本来追従対象とすべき先行車が追従対象から除外されることを低減できる。
［その他の実施形態］
以上、本発明の実施形態について説明したが、本発明は上記実施形態に限定されるものではなく、本発明の要旨を逸脱しない範囲において、様々な態様にて実施することが可能である。
【００７９】
本実施形態における周辺検知部３は、レーダセンサ５と撮像装置７との両方を備えていたが、本発明においては、両方を備えている必要はなく、レーダセンサ５と撮像装置７とのいずれか一方のみを備えていても良い。
【００８０】
また、本実施形態における自車状態検知部１０は、ヨーレートセンサ１２と、車輪速センサ１４と、舵角センサ１６とを備えていたが、本発明における自車状態検知部１０は、これに限るものではない。例えば、自車状態検知部１０は、舵角センサ１６が省略されていても良いし、ヨーレートセンサ１２が省略されていても良い。すなわち、本発明の自車状態検知部１０は、自車の旋回角を検知するセンサと、車速を検知するセンサとを備えていれば、どのようなものでも良い。
【００８１】
さらに言えば、本発明においては、自車状態検知部１０そのものが省略されていても良い。
なお、上記実施形態の構成の一部を、課題を解決できる限りにおいて省略した態様も本発明の実施形態である。また、上記実施形態と変形例とを適宜組み合わせて構成される態様も本発明の実施形態である。また、特許請求の範囲に記載した文言によって特定される発明の本質を逸脱しない限度において考え得るあらゆる態様も本発明の実施形態である。
【符号の説明】
【００８２】
１…運転支援システム  ３…周辺検知部  ５…レーダセンサ  ７…撮像装置  １０…自車状態検知部  １２…ヨーレートセンサ  １４…車輪速センサ  １６…舵角センサ  ２０…車両制御部  ２２…エンジンＥＣＵ  ２４…ブレーキＥＣＵ  ２６…メータＥＣＵ  ４０…運転支援ＥＣＵ  ４１…ＲＯＭ  ４２…ＲＡＭ  ４３…ＣＰＵ
【図１】
2015125486.tif 000003
【図２】
2015125486.tif 000004
【図４】
2015125486.tif 000005
【図６】
2015125486.tif 000006
【図３】
2015125486.tif 000007
【図５】
2015125486.tif 000008
【図７】
2015125486.tif 000009